(57)【要約】      （修正有）【課題】室内で荷物を運ぶ場合に、荷物を足に落として、大きな怪我になるのを効率よく防止することができるスリッパを提供する。【解決手段】スリッパ１は、スリッパ本体２とこのスリッパ本体２の先端部の上部に位置するように、該スリッパ本体２に縫着固定された足甲カバー３と、この足甲カバー３の内壁面に固定されるとともに、下部が外方へ開くのを前記足甲カバー３で防止できるように、前記スリッパ本体２に接着剤で固定された金属材あるいはＦＲＰ、ガラス繊維などのプラスチック材製の足先保護カバー４と、この足先保護カバー４の内壁面に接着剤で固定されたクッション性のある不織布や毛布等のシート材５と、前記足先保護カバー４の開口端部４ａの両側部に、必要に応じて両端部が取付けられ、脱落を防止するためのかかとに係止させるゴム紐６とで構成されている。【選択図】図２
0003144862.tif 000002
【実用新案登録請求の範囲】
【請求項１】
スリッパ本体と、このスリッパ本体の先端部の上部に位置するように固定された金属材あるいはプラスチック材製の足先保護カバーとからなるスリッパ。
【請求項２】
足先保護カバーの外周面はスリッパ本体の足甲カバーの内壁面に接着固定されているとともに、内壁面にはクッション性のシート材が接着固定されていることを特徴とする請求項1記載のスリッパ。
【請求項３】
足先保護カバーにはスリッパ本体に位置させた足が抜け脱するのを防止するゴム紐あるいはベルトが取付けられていることを特徴とする請求項1記載のスリッパ。
【考案の詳細な説明】
【技術分野】
【０００１】
本考案は主に室内での工事作業時に使用されるスリッパに関する。
【背景技術】
【０００２】
従来、屋外から室内あるいは室内で荷物を運ぶ場合、スリッパを履いて行なっている。
【０００３】
このため、運んでいる荷物を落として足先に落下すると、大きな怪我をするという欠点があった。
【特許文献１】特になし
【考案の開示】
【考案が解決しようとする課題】
【０００４】
本考案は以上のような従来の欠点に鑑み、室内で荷物を運ぶ場合に、荷物を足に落として、大きな怪我になるのを効率よく防止することができるスリッパを提供することを目的としている。
【０００５】
本考案の前記ならびにそのほかの目的と新規な特徴は次の説明を添付図面と照らし合わせて読むと、より完全に明らかになるであろう。
ただし、図面はもっぱら解説のためのものであって、本考案の技術的範囲を限定するものではない。
【課題を解決するための手段】
【０００６】
上記目的を達成するために、本考案はスリッパ本体と、このスリッパ本体の先端部の上部に位置するように固定された金属材あるいはプラスチック材製の足先保護カバーとでスリッパを構成している。
【考案の効果】
【０００７】
以上の説明から明らかなように、本考案にあっては次に列挙する効果が得られる。
【０００８】
（１）スリッパ本体と、このスリッパ本体の先端部の上部に位置するように固定された金属材あるいはプラスチック材製の足先保護カバーとで構成されているので、室内で荷物を運ぶ場合に使用することにより、荷物を運ぶ途中で、荷物を足先に落としても、足甲カバー内の足先保護カバーで足先がつぶれるのを確実に防止することができる。
したがって、安全に荷物を運ぶことができる。
【０００９】
（２）前記（１）によって、足甲カバー内のスリッパ本体に足先保護カバーを固定するだけでよいので、容易に製造することができる。
【００１０】
（３）前記（１）によって、足先保護カバーは足甲カバー内に位置しているので、普通のスリッパと同じように見えるように製造することができる。
【考案を実施するための最良の形態】
【００１１】
以下、図面に示す本考案を実施するための最良の形態により、本考案を詳細に説明する。
【００１２】
図１ないし図６に示す本考案を実施するための最良の第１の形態において、１は主に室内での荷物を運ぶ場合に使用されるスリッパで、このスリッパ1はスリッパ本体２と、このスリッパ本体２の先端部の上部に位置するように、該スリッパ本体２に縫着固定された足甲カバー３と、この足甲カバー３の内壁面に固定されるとともに、下部が外方へ開くのを前記足甲カバー３で防止できるように、前記スリッパ本体２に接着剤で固定された金属材あるいはＦＲＰ、ガラス繊維などのプラスチック材製の足先保護カバー４と、この足先保護カバー４の内壁面に接着剤で固定されたクッション性のある不織布や毛布等のシート材５と、前記足先保護カバー４の開口端部４ａの両側部に、必要に応じて両端部が取付けられ、脱落を防止するためのかかとに係止させるゴム紐６とで構成されている。
【００１３】
前記足先保護カバー４は図２および図３に示すように、両側壁４ｂ、４ｂおよび前壁４ｃが前記足甲カバー３の内側壁３ａ、３ａおよび内前壁３ｂに密着するように形成された足先保護カバー本体７と、この足先保護カバー本体７の両側壁４ｂ、４ｂおよび前壁４ｃの下端部に内側へ折り曲げ形成された、前記スリッパ本体２への接着固定の取付けおよび、荷重を支持するほぼＵ字状のフランジ部８とで構成されている。
【００１４】
上記構成のスリッパ１は従来と同様に使用することができるとともに、室内で重い荷物を運ぶ場合には、ゴム紐６が設けられている場合には足先保護カバー４内に足先を挿入した後、図５に示すようにゴム紐６をかかとに係止させることにより、足より脱落することなく履くことができる。
この状態で重い荷物を運ぶが、運んでいる重い荷物を落とした場合、スリッパ１の足甲カバー３上へ落下したとしても、図６に示すように足先保護カバー４で足甲カバー３や足先がつぶれるのを防止できる。
[考案を実施するための異なる形態]
【００１５】
次に、図７ないし図１２に示す本考案を実施するための異なる形態につき説明する。なお、これらの本考案を実施するための異なる形態の説明に当って、前記本考案を実施するための最良の第１の形態と同一構成部分には同一符号を付して重複する説明を省略する。
【００１６】
図７ないし図９に示す本考案を実施するための第２の形態において、前記本考案を実施するための最良の第１の形態と主に異なる点は、既存のスリッパ本体２Ａの足甲カバー３内へ押し込み収納できる足先保護カバー本体７Ａと、この足先保護カバー本体７Ａの開口端部４ａの外周部に複数個、本考案の実施の形態では３個の足甲カバー３の開口端部３ｃに係止固定できるクリップ９、９、９を設けた足先保護カバー４Ａを用いた点で、このようなスリッパ本体２Ａと足先保護カバー４Ａを用いて構成したスリッパ１Ａにしても、前記本考案を実施するための最良の第１の形態と同様な作用効果が得られる。
【００１７】
図１０ないし図１２に示す本考案を実施するための第３の形態において、前記本考案を実施するための最良の第１の形態と主に異なる点は、外周部に布や不織布、毛布等のシート材５が接着固定され、フランジ部８に縫着固定用の透孔１０を所定間隔で形成し、スリッパ本体２の先端部に縫着固定する足先カバー４Ｂを用いた点で、このような足先保護カバー４Ｂを用いて構成したスリッパ１Ｂにしても、前記本考案を実施するための最良の第１の形態と同様な作用効果が得られる。
【産業上の利用可能性】
【００１８】
本発明はスリッパを製造する産業で利用される。
【図面の簡単な説明】
【００１９】
【図１】本考案を実施するための最良の第１の形態の斜視図。
【図２】図１の２−２線に沿う断面図。
【図３】図１の３−３線に沿う断面図。
【図４】本考案を実施するための最良の第１の形態の足先保護カバーの説明図。
【図５】本考案を実施するための最良の第１の形態の使用状態の説明図。
【図６】本考案を実施するための最良の第１の形態の荷物が落下した状態の説明図。
【図７】本考案を実施するための第２の形態の斜視図。
【図８】図７の８−８線に沿う断面図。
【図９】本考案を実施するための第２の形態の足先保護カバーの説明図。
【図１０】本考案を実施するための第３の形態の斜視図。
【図１１】図１０の１１−１１線に沿う断面図。
【図１２】図１０の１２−１２線に沿う断面図。
【符号の説明】
【００２０】
１、１Ａ、１Ｂ：スリッパ、    ２、２Ａ：スリッパ本体、
３：足甲カバー、                            
４、４Ａ、４Ｂ：足先保護カバー、
５：シート材、                ６：ゴム紐、
７、７Ａ：足先保護カバー本体、８：フランジ部、
９：クリップ、                １０：透孔。
【図１】
0003144862.tif 000003
【図２】
0003144862.tif 000004
【図３】
0003144862.tif 000005
【図４】
0003144862.tif 000006
【図５】
0003144862.tif 000007
【図６】
0003144862.tif 000008
【図７】
0003144862.tif 000009
【図８】
0003144862.tif 000010
【図９】
0003144862.tif 000011
【図１０】
0003144862.tif 000012
【図１１】
0003144862.tif 000013
【図１２】
0003144862.tif 000014